(57)【要約】【課題】通報者が通報内容を発声する際に自身の発声速度を調整することを要せずに、子局装置における通報速度を制御できるようにする。【解決手段】通報音声を送信する親局設備１００と、通報音声を受信して再生出力する子局装置２００とを備えた同報放送システムにおいて、親局設備１００が、通報音声に対応付けて再生速度の情報を送信し、子局装置２００が、親局装置１００から受信した再生速度の情報に基づいて、通報音声の再生速度を制御する。また、子局装置２００は、自局に対して予め設定された再生速度の情報を保持しており、親局設備１００から通報の際に受信した再生速度の情報と自局が保持している再生速度の情報とに基づいて、通報音声の再生速度を決定する。【選択図】図１
2018166270.tif 000002
【特許請求の範囲】
【請求項１】
通報音声を送信する親局装置と、前記通報音声を受信して再生出力する子局装置とを備えた同報通報システムにおいて、
前記親局装置は、前記通報音声に対応付けて再生速度の情報を送信し、
前記子局装置は、前記親局装置から受信した再生速度の情報に基づいて、前記通報音声の再生速度を制御することを特徴とする同報通報システム。
【請求項２】
請求項１に記載の同報通報システムにおいて、
前記子局装置は、予め設定された再生速度の情報を記憶しており、前記親局装置から受信した再生速度の情報と前記設定された再生速度の情報とに基づいて、前記通報音声の再生速度を決定することを特徴とする同報通報システム。
【請求項３】
親局装置から送信された通報音声を受信して再生出力する子局装置において、
前記親局装置から、前記通報音声に対応付けて送信された再生速度の情報を受信し、
前記受信した再生速度の情報に基づいて、前記通報音声の再生速度を制御することを特徴とする子局装置。
【請求項４】
請求項３に記載の子局装置において、
予め設定された再生速度の情報を記憶しており、前記受信した再生速度の情報と前記設定された再生速度の情報とに基づいて、前記通報音声の再生速度を決定することを特徴とする子局装置。
【発明の詳細な説明】
【技術分野】
【０００１】
本発明は、放送音声を送信する親局装置と、放送音声を受信して再生出力する子局装置とを備えた同報放送システムに関する。
【背景技術】
【０００２】
台風、水害、地震等の災害から、地域住民の生命や財産を守るための一手段として、地域防災（無線）システムの導入が進められており、災害に際して、いち早く各種情報を住民に伝達するとともに、避難誘導を行うように運用されている。防災対策としては、緊急時の情報伝達手段が重要であるが、災害時の対策本部設置や住民避難施設、救援物資の確保等を含めた総合的なシステムを防災システムと呼んでいる。
【０００３】
従来の防災システムにおける情報の伝達として、例えば、市町村防災無線同報系システムが知られている。この市町村防災無線同報系システムにおいては、親局装置から、屋外に設置され拡声装置を備えた屋外拡声子局や家屋内に設置される戸別受信機などに対して、緊急情報等が送信される。緊急情報等を受信した屋外拡声子局は、拡声装置を用いた音声通報により、地域住民へ緊急情報等を一斉通報で伝達する。また、緊急情報等を受信した戸別受信機は、戸別受信機の表示部や音声出力部へ緊急情報等を出力する。
例えば、特許文献１には、同報放送システムの一つである市町村デジタル同報通信システムによって、親局から周辺住民や通行人へ公的情報や防災情報を報知する実施例が開示されている。
【先行技術文献】
【特許文献】
【０００４】
【特許文献１】特開２０１１−１８８１６９号公報
【発明の概要】
【発明が解決しようとする課題】
【０００５】
各子局装置（屋外拡声子局や戸別受信機）は、親局装置から受信した通報内容を所定の電力まで増幅し、スピーカを介して拡声通報を行う。また、屋外放送を行う場合、残響により音声が聞き取りにくくなることを防ぐために、通報者は意図的にゆっくりと発声することで、残響の影響を最小限に抑えるように工夫している。ここで、残響とは、音源からの音波が壁などに反射しながらエネルギー減衰し、様々な方向から遅れて到着する複雑な組み合わせの反射音のことである。
【０００６】
従来、屋外拡声子局と戸別受信機に対して放送をするような場合、例えば、全ての子局装置に一括通報をするような場合は、屋外拡声子局の音の残響効果を抑えるために、通報者は意図的にゆっくりと発声するが、これを戸別受信機で聞いている人にとっては、ゆっくり過ぎて逆に聞き取りにくいという問題がある。また、屋外での放送には、残響の影響を受けやすい地域（例えば、近くに山がある、又は高い建物があるなど）、残響の影響を受けにくい地域（例えば、海側に向かっての通報など）があり、屋内に設置される戸別受信機も、配布先によって（例えば、年配の方が使用される場合など）は通常より遅い速度が好ましいなど、子局装置毎に最適な通報速度が異なっている。更に、通報に慣れていない人にとっては、あえてゆっくりと発声することが困難であるという問題もある。
【０００７】
本発明は、上記のような従来の事情に鑑みて為されたものであり、通報者が通報内容を発声する際に自身の発声速度を調整することを要せずに、子局装置における通報速度を制御できるようにすることを目的とする。
【課題を解決するための手段】
【０００８】
本発明は、上記目的を達成するために、同報放送システムを以下のように構成した。
すなわち、通報音声を送信する親局装置と、通報音声を受信して再生出力する子局装置とを備えた同報通報システムにおいて、親局装置は、前記通報音声に対応付けて再生速度の情報を送信し、子局装置は、親局装置から受信した再生速度の情報に基づいて、通報音声の再生速度を制御することを特徴とする。
【０００９】
このような構成により、子局装置における通報音声の再生速度を親局装置から制御することができる。したがって、通報者が通報内容を発声する際に自身の発声速度を調整することを要せずに、子局装置における通報速度を制御できるようになる。
【００１０】
ここで、一構成例として、子局装置が、予め設定された再生速度の情報を記憶しておき、親局装置から受信した再生速度の情報と予め設定された再生速度の情報とに基づいて、通報音声の再生速度を決定するようにしてもよい。これにより、子局装置は、予め設定された再生速度を踏まえて通報音声の再生速度を決定することができる。したがって、例えば、複数の子局装置により通報を行う場合に、親局装置で同一の再生速度を指定しても、各々の子局装置で異なる速度で通報させることが可能となる。
【発明の効果】
【００１１】
本発明によれば、通報者が通報内容を発声する際に自身の発声速度を調整することを要せずに、子局装置における通報速度を制御できるようになる。
【図面の簡単な説明】
【００１２】
【図１】本発明の一実施形態に係る同報放送システムの構成例を示す図である。
【図２】図１の同報放送システムによる処理フローの例を示す図である。
【図３】図１の同報放送システムにおける通報音声の再生速度の例を示す図である。
【発明を実施するための形態】
【００１３】
本発明の一実施形態に係る同報放送システムについて、図面を参照して説明する。
図１には、本発明の一実施形態に係る同報放送システムの構成例を示してある。本例の同報放送システムは、市町村デジタル同報通信システムであり、親局装置としての親局設備１００と、複数であるｎ台の子局装置２００−１，２００−２，・・・，２００−ｎ（以下、子局装置２００−１，２００−２，・・・，２００−ｎを区別しない場合は、単に子局装置２００という）とを有している。
【００１４】
本例の同報放送システムは、概略的に、親局設備１００が、通報音声に対応付けて再生速度の情報を送信し、子局装置２００が、親局装置１００から受信した再生速度の情報に基づいて、通報音声の再生速度を制御する構成となっている。親局設備１００から子局装置２００に送信する再生速度の情報は、例えば、親局設備１００の扱者である通報者が親局設備１００を操作して入力することができる。このため、通報者が通報内容を発声する際に自身の発声速度を調整することを要せずに、子局装置２００における通報速度を制御できるようになる。
以下、本例の同報放送システムについて具体的に説明する。
【００１５】
親局設備１００は、通常、防災センター、市役所あるいは町村役場といった行政当局の建物内に設置される。親局設備１００は、操作卓１２０と、無線装置１４０を備える。
操作卓１２０は、制御部１２１と、記憶部１２２と、マイク１２３と、操作部１２４とを備える。操作卓１２０の扱者（通報者）は、操作部１２４を操作して通報に関する各種の設定（例えば、通報先子局の指定、通報音声の再生速度など）を入力すると共に、マイク１２３に通報音声を入力する。操作卓１２０は、制御部１２１による制御の下で、通報信号を生成して無線装置１４０へ出力する。通報信号には、操作部１２４により入力された各種の設定を含む制御信号や、マイク１２３により入力された通報音声を含めた音声信号が含まれる。なお、通報開始時間を含む設定の入力を操作部１２４より受け付けて通報音声と共に記憶部１２２に記憶しておき、通報開始時間の到来を契機に通報信号を無線装置１４０へ出力してもよい。
無線装置１４０は、操作卓１２０から入力された通報信号を変調して、アンテナを介して無線により子局装置２００へ送信する。
【００１６】
子局装置２００は、行政管轄内の各所に設置される端末局であり、屋外に設置される屋外拡声子局や、家屋内に設置される戸別受信機などがある。
子局装置２００は、制御部２０１と、無線部２０２と、記憶部２０４と、音声増幅部２０５と、音声出力部２０６とを備える。子局装置２００は、制御部２０１による制御の下で、親局設備１００の無線装置１４０からアンテナを介して受信した通報信号を無線部２０２で復調し、Ｄ／Ａ変換した通報音声を記憶部２０４に録音し、その後、通報音声を音声増幅部２０５で増幅して音声出力部２０６から拡声出力する。
【００１７】
また、子局２００は、自局に対して予め設定された再生速度の情報を記憶部２０４に保持しており、記憶部２０４に録音した通報音声を再生する際に使用される。子局装置２００に予め設定する再生速度の情報は、子局装置２００を直接操作して入力してもよく、親局設備１００の操作卓１２０を用いた遠隔的な操作により入力してもよい。
【００１８】
図２には、図１の同報放送システムによる処理フローの例として、親局設備１００での通報操作から子局装置２００での音源再生までの処理フローを示してある。
親局設備１００より、子局装置２００に対して通報信号の送信を行う（ステップＳ１）。通報信号には、今回の通報で適用する再生速度の情報が含まれる。以下では、子局装置２００に予め設定された再生速度を「自局保持の速度設定」と呼び、親局設備１００から通報信号で指定された再生速度を「通報時の速度設定」と呼ぶ。
【００１９】
システム内の全ての子局装置２００は、通報信号を受信し（ステップＳ２）、通報信号が自局向けか否か（通報先子局に指定されているか否か）を判断する（ステップＳ３）。子局装置２００は、通報信号が自局向けである場合には、通報音声の音源をＤ／Ａ変換し（ステップＳ４）、通報信号が自局向けでない場合には、待受け状態に遷移する（ステップＳ５）。
【００２０】
子局装置２００は、通報音声の音源をＤ／Ａ変換すると、Ｄ／Ａ変換した音源を録音する（ステップＳ６）。次いで、子局装置２００は、自局保持の速度設定と通報時の速度設定とを比較し（ステップＳ７）、自局保持の速度設定＜通報時の速度設定である場合には、自局保持の速度設定で通報音声を再生し（ステップＳ８）、自局保持の速度設定≧通報時の速度設定である場合には、通報時の速度設定で通報音声を再生する（ステップＳ９）。その後、子局装置２００は、再生した通報音声を所定のレベルまで音声増幅し（ステップＳ１０）、拡声出力する（ステップＳ１１）。
【００２１】
図３には、図１の同報放送システムにおける通報音声の再生速度の例を示してある。
子局装置２００は、自局の種別や設置環境に応じた速度設定を予め保持している。本例では、子局装置２００における自局保持の速度設定として、一般配布の戸別受信機である場合は「１．０倍速」、高齢者配布の戸別受信機である場合には「０．９倍速」、散在地域の屋外拡声子局である場合には「０．８倍速」、密集地域の屋外拡声子局である場合には「０．６倍速」が設定されている。また、操作卓１２０により設定された通報時の速度設定で、「１．０倍速」、「０．９倍速」、「０．８倍速」、「０．７倍速」、「０．６倍速」、「０．５倍速」のいずれかが指定されている。いずれの組み合わせでも、自局保持の速度設定＜通報時の速度設定であれば自局保持の速度設定が適用され、自局保持の速度設定≧通報時の速度設定であれば通報時の速度設定が適用されている。
【００２２】
このように、本例の同報放送システムでは、子局装置２００が、自局に対して予め設定された再生速度の情報を保持しており、親局設備１００から通報の際に受信した再生速度の情報と自局が保持している再生速度の情報とに基づいて、通報音声の再生速度を決定するように構成されている。このため、通報者は通報時に１種類の速度設定を行うだけで、通報音声の再生速度を子局装置２００に応じて調整することができる。特に、本例の子局装置２００は、その種別や設置環境に応じて予め設定された再生速度の情報を保持しているので、子局装置２００の種別や設置環境に応じた再生速度に調整することができる。しかも、子局装置２００は、自局保持の速度設定よりも通報時の速度設定の方が速い場合には、自局保持の速度設定を適用するので、子局装置２００で好ましくない再生速度で通報音声が再生されることが無い。
【００２３】
なお、本例では、自局保持の速度設定を上限として、自局保持の速度設定と通報時の速度設定の遅い方を選択して通報音声の再生速度を決定しているが、自局保持の速度設定と通報時の速度設定との範囲内の値を一意に特定できる他の手法を用いて通報速度を決定してもよい。例えば、自局保持の速度設定と通報時の速度設定との平均値を通報音声の再生速度に決定してもよい。
【００２４】
ここで、本例の同報放送システムでは、通報者がマイク入力した音声ではない音源、例えば、サイレン、チャイム、ミュージックチャイム等の音源は、子局装置２００から等倍速で再生出力されることが好ましいため、子局装置２００の記憶部２０４に音源を保持しておき、親局設備１００からの起動信号により音源を再生するように構成されている。
【００２５】
なお、音声の場合、単純にテンポを変化させると同時にピッチが変化する。つまり、テンポを速くすると、それに伴って音が高くなってしまう。そこで、本例の同報放送システムでは、通報音声の再生速度の調整を、ピッチ変調を伴わないＣＵＴ＆ＳＬＩＣＥ法などの手法を用いて行うようにしている。例えば、音データのごく短い部分を削除又は繰り返して再生する。具体的には、音データを数十〜数百ミリ秒のブロックに細分し、各ブロックにその一部の削除又は繰り返しを行うことにより、音程はもとより、音色や曲の展開を変化させずにテンポだけを変調することができる。このような処理は、ＤＳＰ（Digital Signal Processor）を使用して行うことができる。これにより、通報者がマイク入力する音声（通報内容を伴う音源）は聞き取りやすい再生速度で再生する一方で、サイレン、チャイム、ミュージックチャイム等の音源（通報内容を伴わない音源）は通常の再生速度で再生することができ、住民は通報内容を聞き取り易くなる。
【００２６】
また、各々の子局装置２００に対して個別に再生速度を設定しておくことができるので、屋外拡声子局の設置環境（残響の有無）や戸別受信機の配布先（高齢者向けか否か）等に応じて１台ずつ設定を変えることができるため、様々なケースに対応した速度制御を行うことができる。更に、通報者にとっては自身の発声速度（話すスピード）を意識することなく通報を行えるので、使い勝手も向上する。また、子局装置２００に対する再生速度の事前設定は、親局設備１００の操作卓１２０から遠隔的に行えるので、子局装置２００を現地に設置する作業者の負担の軽減を図ることもできる。
【００２７】
また、通報時に送信する再生速度の設定は、通報の度に必ずしも通報者が操作卓１２０を操作して入力する必要は無い。一例として、通報者に対応付けて再生速度を予め設定して操作卓１２０の記憶部１２２に保持させておき、操作卓１２０の扱者がどの通報者であるかを認識して、該通報者に対応する再生速度を読み出して子局装置２００に送信する構成としてもよい。別の例として、音声を解析して拡声放送に適した再生速度を自動的に算出する機能部を操作卓１２０に設け、マイク入力された通報音声から算出した再生速度を子局装置２００に送信する構成としてもよい。
【００２８】
なお、本発明に係るシステムや装置などの構成としては、必ずしも以上に示したものに限られず、種々な構成が用いられてもよい。例えば、本例の同報放送システムでは、親局設備１００と子局装置２００との間の通信を無線で行っているが、これらをケーブル等で接続した構成であってもよい。
また、本発明は、例えば、本発明に係る処理を実行する方法や方式、そのような方法や方式を実現するためのプログラム、そのプログラムを記憶する記憶媒体などとして提供することも可能である。
【産業上の利用可能性】
【００２９】
本発明は、放送音声を送信する親局装置と、放送音声を受信して再生出力する子局装置とを備えた同報放送システムに利用することができる。
【符号の説明】
【００３０】
１００：親局設備、  １２０：操作卓、  １２１：制御部、  １２２：記憶部、  １２３：マイク、  １２４：操作部、  １４０：無線装置、  ２００−１〜２００−ｎ：子局装置、  ２０１：制御部、  ２０２：無線部、  ２０４：記憶部、  ２０５：音声増幅部、  ２０５：音声出力部
【図１】
2018166270.tif 000003
【図２】
2018166270.tif 000004
【図３】
2018166270.tif 000005